(57)【要約】【課題】粉粒状又はペレット状熱溶融接着剤の保管や輸送時のブロッキングを防いで施工効率の向上を図りつつ、全面に亘って均一かつ安定よい接着性能及び防水性能を確保し床版の供用耐久性の長期維持を達成できるようにする。【解決手段】床版上に速硬化型液状樹脂による防水層３を形成した後，この防水層３または該防水層３上に形成した柔軟性樹脂接着剤による一次接着層４Ａ上に粉粒状又はペレット状熱溶融接着剤６…の散布し、続いて加熱アスファルト舗装体を舗設して該加熱アスファルト舗装体の熱で熱溶融接着剤を溶融流動させて防水層３とアスファルト舗装体の間に接着層４Ｂを形成する防水舗装施工法において、防水層３または一次接着層４Ａ上に散布される粉粒状又はペレット状熱溶融接着剤６…として、これら熱溶融接着剤６…の融点よりも高い融点を持つパウダー７…を混入したものを使用する。【選択図】　　　図６
2004092373.tif 000002
【特許請求の範囲】
【請求項１】
床版上に速硬化型液状樹脂を塗布して防水層を形成する工程と、この防水層上に粉粒状又はペレット状の熱溶融接着剤を用いた接着層を形成する工程と、この接着層上に加熱アスファルト舗装体を舗設して該加熱アスファルト舗装体の熱で上記接着層を形成する熱溶融接着剤を溶融流動させて上記防水層とアスファルト舗装体とを接着する工程とを有する床版の防水舗装施工法であって、
上記防水層上に散布される粉粒状又はペレット状の熱溶融接着剤には、これら熱溶融接着剤の融点よりも高い融点を持つパウダーが混入されているものを使用することを特徴とする床版の防水舗装施工法。
【請求項２】
床版上に常温硬化型液状樹脂を塗布して接着層を形成する工程と、この接着層上に速硬化型液状樹脂を塗布して防水層を形成する工程と、この防水層上に柔軟性樹脂接着剤を塗布して一次接着層を形成する工程と、この一次接着層上に粉粒状又はペレット状の熱溶融接着剤を散布する工程と、この粉粒状又はペレット状の熱溶融接着剤上に加熱アスファルト舗装体を舗設して該加熱アスファルト舗装体の熱で上記熱溶融接着剤を溶融流動させて上記一次接着層とアスファルト舗装体との間に両者を接着する二次接着層を形成する工程とを有する床版の防水舗装施工法であって、
上記一次接着層上に散布される粉粒状又はペレット状の熱溶融接着剤には、これら熱溶融接着剤の融点よりも高い融点を持つパウダーが混入されているものを使用することを特徴とする床版の防水舗装施工法。
【請求項３】
上記高融点パウダーが、粉粒状又はペレット状の熱溶融接着剤に対して１：９９〜９９：１の重量割合で混入されている請求項１又は２に記載の床版の防水舗装施工法。
【請求項４】
上記高融点パウダーが、硅砂、タルク、炭酸カルシウム、シリカを含む無機質フィラーまたはオリフィン、パラフィン、ワックス、ロジン、テルペン、エポキシを含む有機質樹脂の中から選択された一種又は複数種である請求項１ないし３のいずれかに記載の床版の防水舗装施工法。
【請求項５】
床版上に速硬化型液状樹脂を塗布して形成された防水層と、この防水層上に粉粒状又はペレット状の熱溶融接着剤を散布して形成される接着層と、この接着層上に舗設された加熱アスファルト舗装体とからなり、上記接着層が加熱アスファルト舗装体の熱で熱溶融接着剤を溶融流動させることにより形成されている床版の防水舗装構造であって、
上記防水層上に散布される粉粒状又はペレット状熱溶融接着剤として、これら熱溶融接着剤の融点よりも高い融点を持つパウダーが混入されたものを使用していることを特徴とする床版の防水舗装構造。
【請求項６】
床版上に形成された常温硬化型液状樹脂からなる接着層と、この接着層上に速硬化型液状樹脂を塗布して形成された防水層と、この防水層上に柔軟性樹脂接着剤を塗布して形成された一次接着層と、この一次接着層上に粉粒状又はペレット状の熱溶融接着剤を散布して形成される二次接着層と、この二次接着層上に舗設された加熱アスファルト舗装体とからなり、上記二次接着層が加熱アスファルト舗装体の熱で粉粒状又はペレット状の熱溶融接着剤を溶融流動されることにより形成されている床版の防水舗装構造であって、
上記一次接着層上に散布される粉粒状又はペレット状熱溶融接着剤として、これら熱溶融接着剤の融点よりも高い融点を持つパウダーが混入されたものを使用していることを特徴とする床版の防水舗装構造。
【請求項７】
上記高融点パウダーが、粉粒状又はペレット状の熱溶融接着剤に対して１：９９〜９９：１の重量割合で混入されている請求項５又は６に記載の床版の防水舗装構造。
【請求項８】
上記高融点パウダーとして、硅砂、タルク、炭酸カルシウム、シリカを含む無機質フィラーまたはオリフィン、パラフィン、ワックス、ロジン、テルペン、エポキシを含む有機質樹脂の中から選択された一種又は複数種を使用している請求項５ないし７のいずれかに記載の床版の防水舗装構造。
【発明の詳細な説明】
【０００１】
【発明の属する技術分野】
本発明は、主として橋梁の鉄筋入りコンクリート製床版や鋼床版等のように、施工用車両等の走行に伴う衝撃荷重や繰り返し応力、さらには雨水浸透による腐食などから床版を保護してその供用耐久性を長期に亘り維持することが要求されているような床版の防水舗装施工法及びその構造に関するものである。
【０００２】
【従来の技術】
橋梁等の床版の防水舗装施工法として、従来一般には、床版上にゴム系防水シートを熱溶融接着し、この防水シート上にアスファルト表層舗装体を舗設するシート防水舗装施工法あるいは床版上にゴム溶剤型塗料を塗布して防水性塗膜を形成し、この塗膜上にアスファルト表層舗装体を舗設する塗膜防水舗装施工法が主流であった。
【０００３】
しかし、上記した従来一般のシート防水舗装施工法では、床版と防水シートの間に膨れ等の欠陥が発生したり、施工効率の悪さから一日の施工面積が制約される等の多くの難点があり、また、塗膜防水舗装施工法では、塗布及び養生を数回繰り返すことが必要で施工効率が非常に悪いだけでなく、塗膜による防水層に膨れ等の欠陥が発生し易い等の難点があり、いずれの施工法も施工性及び防水面での信頼性、さらには施工用車両等の走行に伴う衝撃荷重や繰り返し応力に対する耐応強度に欠け、供用耐久性の長期維持という要求を達成することができず、短期間の供用サイクルで全面的に補修しなければならないという問題があった。
【０００４】
このような多くの問題を有する従来一般の床版の防水舗装施工法に代わるものとして、従来、床版上に防水層を形成し、この防水層上に、ビーズ、ペレット、ピレット、チップ等の各種形状を持つ熱可塑性樹脂粒子を散布したのち、この熱可塑性樹脂粒子上に加熱アスファルト舗装体を施すことにより、該加熱アスファルト舗装体の熱で熱可塑性樹脂粒子を溶融させて上記防水層とアスファルト舗装体とを接着する接着層を形成させる床版の防水舗装施工法が提案されている（例えば特許文献１参照）。
【０００５】
【特許文献１】
特開平３−９３９０４号公報
【０００６】
上記した従来の床版の防水舗装施工法によれば、軽量で施工が非常に容易であり、かつ、常温で安全に取扱える熱可塑性樹脂粒子を防水層上に散布し、その上に加熱アスファルト舗装体を施すだけでよいから、所定の防水舗装を効率よく施工することができる。また、アスファルト舗装体の熱で溶融された熱可塑性樹脂がアスファルト舗装体の隙間部及び防水層の損傷部に隙間なく浸透し充填するアンカー効果により、防水層とアスファルト舗装体との接着性の向上が図れて膨れ等の欠陥の発生を防止できるとともに、防水層をシームレスなものとして優れた防水性能を確保し雨水浸透による床版の腐食等を防止できる。さらに、施工時における重機等の施工用車両の通行に際して防水層にかかる荷重を熱可塑性樹脂粒子により分散させて防水層の損傷、破壊を抑制でき橋梁等の床版の供用耐久性の長期維持を達成することができるという利点を有している。
【０００７】
【発明が解決しようとする課題】
ところで、シート防水舗装など従来一般の床版の防水舗装施工法が有する問題点の解消に成功した上記従来の床版の防水舗装施工法において、防水層上に散布して用いられる多量の粉粒状又はペレット状の熱溶融接着剤は、容器内に貯蔵して保管され、その容器内への保管状態のままで施工現場に輸送され、施工現場で散布使用されていたが、夏場のように外気温が高い条件下では、容器内温度の昇温に伴い熱溶融接着剤の表面の一部が溶けて相互に接合一体化するブロッキング現象を呈しやすい。このようにブロッキングした熱溶融接着剤は散布作業そのものが困難になるばかりでなく、防水層上に散布したとき、局所的に接着剤の塊ができるなど散布密度が不均等となり、その結果、加熱アスファルト舗装体の熱で溶融流動されて形成される接着層の厚みにばらつきが生じて防水層とアスファルト舗装体との接着性が不均一、不安定となって防水性能の面で高い信頼性を得ることができないという問題が残されていた。
【０００８】
本発明は上記実情に鑑みてなされたもので、粉粒状又はペレット状の熱溶融接着剤の保管や輸送時におけるブロッキングの発生を確実に防ぎ、散布作業を容易にして施工効率の向上を維持しつつ、舗装面全面に亘って均一かつ安定よい接着性能及び防水性能を確保して床版の供用耐久性の長期維持を達成することができる床版の防水舗装施工法及びその構造を提供することを目的としている。
【０００９】
【課題を解決するための手段】
上記目的を達成するために、本発明の請求項１に係る床版の防水舗装施工法は、床版上に速硬化型液状樹脂を塗布して防水層を形成する工程と、この防水層上に粉粒状又はペレット状の熱溶融接着剤を用いた接着層を形成する工程と、この接着層上に加熱アスファルト舗装体を舗設して該加熱アスファルト舗装体の熱で上記接着層を形成する熱溶融接着剤を溶融流動させて上記防水層とアスファルト舗装体とを接着する工程とを有する床版の防水舗装施工法であって、上記防水層上に散布される粉粒状又はペレット状の熱溶融接着剤には、これら熱溶融接着剤の融点よりも高い融点を持つパウダーが混入されているものを使用することを特徴とし、本発明の請求項２に係る床版の防水舗装施工法は、床版上に常温硬化型液状樹脂を塗布して接着層を形成する工程と、この接着層上に速硬化型液状樹脂を塗布して防水層を形成する工程と、この防水層上に柔軟性樹脂接着剤を塗布して一次接着層を形成する工程と、この一次接着層上に粉粒状又はペレット状の熱溶融接着剤を散布する工程と、この粉粒状又はペレット状の熱溶融接着剤上に加熱アスファルト舗装体を舗設して該加熱アスファルト舗装体の熱で上記熱溶融接着剤を溶融流動させて上記一次接着層とアスファルト舗装体との間に両者を接着する二次接着層を形成する工程とを有する床版の防水舗装施工法であって、上記一次接着層上に散布される粉粒状又はペレット状の熱溶融接着剤には、これら熱溶融接着剤の融点よりも高い融点を持つパウダーが混入されているものを使用することを特徴とするものである。
【００１０】
また、上記と同一の目的を達成するために、本発明の請求項５に係る床版の防水舗装構造は、床版上に速硬化型液状樹脂を塗布して形成された防水層と、この防水層上に粉粒状又はペレット状の熱溶融接着剤を散布して形成される接着層と、この接着層上に舗設された加熱アスファルト舗装体とからなり、上記接着層が加熱アスファルト舗装体の熱で熱溶融接着剤を溶融流動させることにより形成されている床版の防水舗装構造であって、上記防水層上に散布される粉粒状又はペレット状熱溶融接着剤として、これら熱溶融接着剤の融点よりも高い融点を持つパウダーが混入されたものを使用していることを特徴とし、本発明の請求項６に係る床版の防水舗装構造は、床版上に形成された常温硬化型液状樹脂からなる接着層と、この接着層上に速硬化型液状樹脂を塗布して形成された防水層と、この防水層上に柔軟性樹脂接着剤を塗布して形成された一次接着層と、この一次接着層上に粉粒状又はペレット状の熱溶融接着剤を散布して形成される二次接着層と、この二次接着層上に舗設された加熱アスファルト舗装体とからなり、上記二次接着層が加熱アスファルト舗装体の熱で粉粒状又はペレット状の熱溶融接着剤を溶融流動されることにより形成されている床版の防水舗装構造であって、上記一次接着層上に散布される粉粒状又はペレット状熱溶融接着剤として、これら熱溶融接着剤の融点よりも高い融点を持つパウダーが混入されたものを使用していることを特徴とするるものである。
【００１１】
上記請求項１及び２に記載の本発明に係る床版の防水舗装施工法並びに請求項５及び６に記載の本発明に係る床版の防水舗装構造によれば、いずれも防水層上または一次接着層上に散布して用いられる粉粒状又はペレット状の熱溶融接着剤として、これら熱溶融接着剤の融点よりも高い融点を持つパウダーが混入されたものを使用するために、これら粉粒状又はペレット状の熱溶融接着剤を容器内に貯蔵し保管している時や、容器内への保管状態のままで施工現場に輸送する時は各粉粒状又はペレット状熱溶融接着剤の間に高融点パウダーが介在されていることになり、高温雰囲気下で保管されたり、外気温の高い夏場のような高温雰囲気下で輸送されたりする場合でも、熱溶融接着剤の表面の一部が溶けて相互に接合一体化するブロッキング現象の発生を防ぐことが可能である。したがって、熱溶融接着剤を粉粒状又はペレット状のままに保って防水層または一次接着層上への散布作業が容易であるばかりでなく、局所的な接着剤の塊等を生じることなく防水層または一次接着層の全面にわたりほぼ均等な密度で散布することが可能であり、その結果、加熱アスファルト舗装体の熱で溶融流動されて形成される接着層の厚みが均一で防水層とアスファルト舗装体との接着性を良好かつ安定化して防水性能の面で高い信頼性を確保し、施工用車両の走行に伴う衝撃荷重や繰り返し応力に対する防水層の損傷、破壊防止効果と相俟って橋梁等の床版の供用耐久性の長期に亘り安定維持することができる。
【００１２】
上記した本発明の床版の防水舗装施工法及びその構造において、上記高融点パウダーの混入割合としては、請求項３及び請求項７に記載のように、粉粒状又はペレット状の熱溶融接着剤に対して１：９９〜９９：１の重量割合であればよいが、好ましくは、２０：８０〜９０：１０の重量割合であって、それ以上になると、加熱アスファルト舗装体の熱による溶融流動性が低下し、また、それ以下になると、ブロッキング防止の確実性に欠ける。
【００１３】
以下、本発明において使用される材料について詳細に説明する。
請求項２及び請求項６のように、床版上に塗布して接着層を形成する常温硬化型液状樹脂としては、ウレタン系、エポキシ系、ＭＭＡ系、エピスルフィド系のものが用いられる。その中でもＮＣＯ％：５〜３５％の芳香族イソシアネートを用いたウレタン樹脂の使用が好ましく、また、その接着層は乾燥面であってもよいが、湿潤面であることが望ましい。
【００１４】
防水層を形成する速硬化型液状樹脂としては、ウレタン樹脂、ウレア樹脂、ウレアウレタン樹脂のいずれかを使用し、これに硬化剤を混合した２液混合型のものが好ましい。ここで、主剤となる樹脂は、４−４−ジフェニルメタンジイソシアネート、ポリフェニルメチレンポリイソシアネート、カルボジイミド変性ジフェニルメタンジイサシアネート等のポリイソシアネート化合物または４−４−ジフェニルメタンジイソシアネートとポリオールとの反応物であるイソシアネート基末端プレポリマーが好ましく、また、硬化剤としては、ポリエーテル系ポリオールと芳香族ポリアミンを混合した変性品が好ましい。
【００１５】
上記のような主剤及び硬化剤を使用する２液混合可速硬化型液状樹脂は、引張伸度が１００％以上、好ましくは３００％以上となり、塗布後の硬化速度は３時間以内、好ましくは１時間以内になるという特長を有している。
【００１６】
請求項２及び請求項６にように、防水層の上に一次接着層を形成する柔軟性樹脂接着剤としては、ウレタン変性樹脂又は１液型もしくは２液型のウレタン樹脂を使用する。
【００１７】
また、防水層または一次接着層の上に散布され、アスファルト舗装材の舗設時に該加熱アスファルト舗装体の熱で溶融流動されて上記防水層または一次接着層とアスファルト舗装体との間に接着層を形成する粉粒状又はペレット状の熱溶融接着剤としては、ポリウレタン系、ポリオレフィン系、ポリエステル系、ポリアミド系、エチレンエチルアクリレート（ＥＥＡ）、エチレンビニルアセテート（ＥＶＡ）、スチレンブチレンエラストマー（ＳＢＳ）の中から選択された一種または複数種で、融点が５０℃以上、引張伸度が１００％以上、好ましくは３００％以上の繰り返し衝撃性に優れた材料を使用することが望ましい。
【００１８】
さらに、粉粒状又はペレット状の熱溶融接着剤のブロッキング防止のために混入する高融点パウダーとしては、硅砂、タルク、炭酸カルシウム、シリカ等の無機質フィラーあるいはオレフィン、パラフィン、ワックス、ロジン、テルペン、エポキシ、エチレンエチルアクリレート（ＥＥＡ）、エチレンビニルアセテート（ＥＶＡ）等の有機質樹脂の中から選択された一種又は複数種を使用する。
【００１９】
【発明の実施の形態】
以下、本発明の実施の形態を図面にもとづいて説明する。
図１は本発明の請求項２に係る床版の防水舗装施工法により完工された請求項６に係る床版の防水舗装構造を示す要部の縦断面図であり、橋梁等の鉄筋入りコンクリート製又は鋼製の床版１上には、０．０５〜１ｍｍ、好ましくは０．１〜０．５ｍｍ厚さの湿潤面接着層２が施されており、この湿潤接着層２上に、２液混合可撓性速硬化型液状樹脂を塗布して０．５〜５ｍｍ、好ましくは１．５〜３．５ｍｍ厚さの防水層３が形成されている。この防水層３の上には、後述する柔軟性樹脂接着剤により形成される一次接着層４Ａ及び粉粒状又はペレット状熱溶融接着剤の溶融流動により形成される二次接着層４Ｂからなり、０．５〜２ｍｍ、好ましくは１〜１．５ｍｍ厚さの舗装接着層４が形成されており、この舗装接着層４上に加熱アスファルト舗装体５を舗設することで、該加熱アスファルト舗装体５と防水層３とが舗装接着層４により接着されている。なお、上記接着層２は、湿潤面であることが望ましいが、乾燥面であってもよい。
【００２０】
次に、上記構成を持つ床版の防水舗装構造の施工法について工程順に詳しく説明する。
床版１上に、図２に示すように、既述した常温硬化型液状樹脂を、０．０５〜０．３ｋｇ／ｍ２　、好ましくは０．１〜０．２ｋｇ／ｍ２　塗布して上記湿潤面接着層２を床版１上に形成する。
その湿潤面接着層２が硬化する３０分位の養生時間経過後に、該湿潤面接着層２上に、図３に示すように、既述した主剤と硬化剤との２液混合可撓性速硬化型液状樹脂を、０．５〜５．０ｋｇ／ｍ２　、好ましくは１．５〜３．５ｋｇ／ｍ２
塗布又はスプレーして上記防水層３を形成する。
【００２１】
次に、防水層３が硬化する３０分程度の養生時間経過後に、該防水層３上に、図４に示すように、既述した柔軟性樹脂接着剤を、０．１〜０．３ｋｇ／ｍ２　、好ましくは０．２ｋｇ／ｍ２　塗布して一次接着層４Ａを形成する。
この一次接着層４Ａが形成された後、直ちに図５に示すように、既述した粉粒状又はペレット状の熱溶融接着剤６…を、おおよそ０．５〜２．０ｋｇ／ｍ２　、好ましくは１．０ｋｇ／ｍ２　散布する。
【００２２】
ここで、一次接着層４Ａ上に散布される粉粒状又はペレット状の熱溶融接着剤６…中には、これら熱溶融接着剤６…の融点よりも高い融点を持つ既述したパウダー７…が１：９９〜９９：１、好ましくは、２０：８０〜９０：１０の範囲の重量割合で混入されており、各粉粒状又はペレット状熱溶融接着剤６…の外面全域あるいは外面の一部には、図６に拡大明示するように、高融点パウダー７…が付着あるいは挟み介在されている。このように高融点パウダー７…が混入された粉粒状又はペレット状の熱溶融接着剤６…を使用することによって、これを容器内に貯蔵し保管している時あるいは容器内への保管状態のままで施工現場に輸送する時の雰囲気温度が高い時、特に、外気温の高い夏場であっても、熱溶融接着剤６…の表面の一部が溶けて相互に接合一体化するブロッキング現象の発生を防ぎ、一次接着層４Ａ上にほぼ均一な密度で容易に散布することができる。
【００２３】
しかる後、上記熱溶融接着剤６…上に加熱アスファルト舗装体５を舗設することにより、粉粒状又はペレット状の熱溶融接着剤６…が加熱アスファルト舗装体５の熱で溶融流動されて一次接着層４Ａとアスファルト舗装体５の間に全面が均一な厚みの二次接着層４Ｂが形成されることになり、この二次接着層４Ｂ及び上記一次接着層４Ａからなる舗装接着層４を介してアスファルト舗装体５と防水層３とが相互に接着されて図１に示すような床版の防水舗装構造が施工される。
【００２４】
上記のように施工される床版の防水舗装構造においては、湿潤面接着層２の形成、２液混合可撓性速硬化型液状樹脂の塗布による防水層３の形成、粉粒状又はペレット状の熱溶融接着剤６…の散布及び加熱アスファルト舗装体５の舗設といった一連の工程作業を順次行なうことにより、所定の防水舗装を非常に効率よく施工することができる。
【００２５】
しかも、施工後は、湿潤面接着層２上に防水層３、一次接着層４Ａ及び二次接着層４Ｂからなる舗装接着層４という二層の防水構造が存在して優れた防水性能が得られるとともに、施工用車両等の走行によって衝撃荷重や繰り返し応力を受けても防水層３の損傷や破壊を防止し得るだけの強度特性も得られ、これらの相乗により橋梁等の床版の供用耐久性の長期維持を達成することができる。
【００２６】
なお、上記実施の形態では、請求項２に係る床版の防水舗装施工法及びその施工法により完工された請求項６に係る床版の防水舗装構造について詳細に説明したが、請求項１に係る床版の防水舗装施工法及びその施工法により完工される請求項５に係る床版の防水舗装構造のように、床版上に防水層を形成し、この防水層上に一次接着層を施工しないで、直接に粉粒状又はペレット状の熱溶融接着剤を散布したのち、この熱溶融接着剤上に加熱アスファルト舗装体を舗設して該アスファルト舗装体の熱で熱溶融接着流を溶融流動させて防水層とアスファルト舗装体とを相互に接着してもよい。この場合も、上記実施の形態で述べたと同様に、全面に亘り均一かつ安定よい接着性能を確保して非常に優れた防水性能及び強度性能を持つ床版の舗装構造を効率よく得ることができる。
【００２７】
【発明の効果】
以上要するに、請求項１，２及び５，６に係る本発明によれば、防水層または一次接着層上に散布して用いられる粉粒状又はペレット状の熱溶融接着剤にこれら熱溶融接着剤の融点よりも高い融点を持つパウダーを混入させておくことにより、夏場のように外気温が高い条件下でこれら粉粒状又はペレット状の熱溶融接着剤を容器内に貯蔵し保管している時や、容器内への保管状態のままで施工現場に輸送する時に、熱溶融接着剤の表面の一部が溶けて相互に接合一体化するブロッキング現象の発生を防止することができ、これによって、熱溶融接着剤を粉粒状又はペレット状のままに保って防水層または一次接着層上に容易に散布することができるだけでなく、接着剤の塊等を生じることなく防水層または一次接着層の全面にわたりほぼ均等な密度で散布して加熱アスファルト舗装体の熱で溶融流動されて形成される接着層の厚みの均一化及び防水層とアスファルト舗装体との接着性の安定化を図り防水性能の面で高い信頼性を確保でき、衝撃荷重や繰り返し応力に対する防水層の損傷、破壊抑制効果と相俟って橋梁等の床版の供用耐久性の長期に亘り安定維持することができるという効果を奏する。
【図面の簡単な説明】
【図１】本発明の請求項２に係る床版の防水舗装施工法により完工された請求項５に係る床版の防水舗装構造を示す要部の縦断面図である。
【図２】本発明の請求項２に係る床版の防水舗装施工法の第一工程を示す要部の拡大縦断面図である。
【図３】同上防水舗装施工法の第二工程を示す要部の拡大縦断面図である。
【図４】同上防水舗装施工法の第三工程を示す要部の拡大縦断面図である。
【図５】同上防水舗装施工法の第四工程を示す要部の拡大縦断面図である。
【図６】図５の要部の拡大図である。
【符号の説明】
１　床版
２　湿潤面接着層
３　防水層
４Ａ　一次接着層
４Ｂ　二次接着層
５　加熱アスファルト舗装体
６　粉粒状又はペレット状の熱溶融接着剤
７　高融点パウダー
【図１】
2004092373.tif 000003
【図２】
2004092373.tif 000004
【図３】
2004092373.tif 000005
【図４】
2004092373.tif 000006
【図５】
2004092373.tif 000007
【図６】
2004092373.tif 000008